(57)【要約】【課題】本発明は、商品陳列什器に関し、詳しくは、組立式の商品陳列什器であって、取外して分解した各部材が全て基台となる箱体に収納可能である商品陳列什器提供する。【解決手段】基台となる箱体と、箱体の天板中央部の上部に設置されるセンター枠と、箱体側面の上部に取付けられる側壁部と、複数の商品保持部材と、商品保持部材をセンター枠に取付けるための取付部材と、を具備し、センター枠、側壁部、商品保持部材及び取付部材が、取外し可能であり、箱体内部に収納可能である商品陳列什器。【選択図】　　　図１
2004089405.tif 000002
【特許請求の範囲】
【請求項１】
基台となる箱体と、
箱体の天板中央部の上部に設置されるセンター枠と、
箱体側面の上部に取付けられる側壁部と、
複数の商品保持部材と、
商品保持部材をセンター枠に取付けるための取付部材と、
を具備し、
センター枠、側壁部、商品保持部材及び取付部材が、取外し可能であり、箱体内部に収納可能である商品陳列什器。
【請求項２】
前記センター枠及び前記側壁部の上端から箱体底部まで、側壁部外周を覆うように取付けられるサイド枠をさらに具備し、該サイド枠が、取外し可能であり、箱体内部に収納可能であることを特徴とする請求項１記載の商品陳列什器。
【請求項３】
前記センター枠の上部に取付けられる天蓋部と、天蓋部に取付けられる照明装置をさらに具備し、該天蓋部及び該照明装置が、取外し可能であり、箱体内部に収納可能であることを特徴とする請求項１又は２記載の商品陳列什器。
【請求項４】
前記箱体底面部に複数のキャスターを設けてなることを特徴とする請求項１乃至３のいずれか一項に記載の商品陳列什器。
【請求項５】
前記箱体の外側面部に、１又は複数の折畳み可能な陳列用棚板を設けてなることを特徴とする請求項１乃至４のいずれか一項に記載の商品陳列什器。
【請求項６】
前記箱体側面の少なくとも一面に扉を設けて、開閉可能とすることを特徴とする請求項１乃至５のいずれか一項に記載の商品陳列什器。
【請求項７】
前記センター枠に、前記取付部材の取付孔が複数設けられ、前記商品保持部材の取付位置が、自在に設定可能であることを特徴とする請求項１乃至６のいずれか一項に記載の商品陳列什器。
【請求項８】
前記側壁部が網目状の部材からなることを特徴とする請求項１乃至７のいずれか一項に記載の商品陳列什器。
【請求項９】
前記箱体内に収納可能な部材の一覧表及び／又は該収納可能な部材の収納方法の記載物が、箱体内に含まれることを特徴とする請求項１乃至８のいずれか一項に記載の商品陳列什器。
【発明の詳細な説明】
【０００１】
【発明の属する技術分野】
本発明は、商品陳列什器に関し、詳しくは、組立式の商品陳列什器であって、取外して分解した各部材が全て基台となる箱体に収納可能である商品陳列什器に関する。
【０００２】
【従来の技術】
店頭で商品を陳列するための什器は、各店舗において準備される他、複数の店舗や売場で単一のものが使用される場合がある。従来の什器は、サイズ・重量共に大きく、使用店舗への輸送の際に輸送費用が嵩んだり、売場間での移動時に什器本体が損傷しやすいといった問題があった。
【０００３】
また、従来の商品陳列什器は、陳列する商品の多様な形状及びサイズに満足に対応できるものではなかった。
【０００４】
【発明が解決しようとする課題】
そこで、本発明は、商品陳列什器の輸送・移動の際に、什器本体を容易に小型化できるとともに、什器本体の損傷を防止でき、かつ、変化に富んだ陳列が可能な什器を提供することを目的とする。
【０００５】
【課題を解決するための手段】
本発明者らは、上記課題を解決するために、鋭意検討し、容易に小型化でき、輸送・移動時の耐久性に優れ、かつ商品の陳列のバリエーションが豊富な什器を見出し、本発明を完成した。
【０００６】
すなわち本発明は、
基台となる箱体と、
箱体の天板中央部の上部に、設置されるセンター枠と、
箱体側面上部に取付けられる側壁部と、
複数の商品保持部材と、
商品保持部材をセンター枠に取付けるための取付部材と、
を具備し、
センター枠、側壁部、商品保持部材及び取付部材が、取外し可能であり、箱体内部に収納可能である商品陳列什器である。
【０００７】
【発明の実施の形態】
以下に、本発明の実施の形態を図面を用いて説明する。
図１〜図９に、本発明の実施形態の一例である商品陳列什器Ｗを示す。図１は、本発明の商品陳列什器の斜視図である。図２、図３、図６、図７はそれぞれ、本発明の商品陳列什器に用いられるセンター枠、側壁部、センター枠及び天蓋部の構造を示す図であり、図４及び図５はそれぞれ、本発明の商品陳列什器に用いられる棚板及びハンガーフックの取付構造を示す図である。
【０００８】
図１に示すように、本発明における商品陳列什器Ｗは、基台となる箱体１と、箱体１の天板Ｔの中央部の上部に、箱体１の一辺と平行に設置されるセンター枠２と、センター枠２に対して垂直に、箱体１の側面上部に取付けられる網目状の側壁部３を具備しており、また、商品保持部材として棚板４が取付部材４ａによって、またハンガーフック５が取付部材５ａ、５ｂ、５ｃによって、それぞれセンター枠２に取付けられている。センター枠２及び側壁部３は、箱体１への収納性を考慮して、図２及び図３に示すように、中心付近で複数に分割される構造としてもよい。
【０００９】
センター枠２には、図４や図５に示すように取付孔Ｏが上下に多数設けられており、取付部材４ａ及び５ａの取付位置を上下方向に自在に設定することができる。また、ハンガーフック５は、取付部材５ａ、５ｂ、５ｃを用いて設置されるが、図５（ａ）及び図５（ｂ）に示すように、取付部材５ａをセンター枠２に取付け、棒状取付部材５ｂを取付部材５ａに設けられた嵌合溝に嵌め込み、ハンガーフック基部に設けられた取付部材５ｃを棒状取付部材５ｂに噛合わせて設置することにより、ハンガーフック５を、上下方向及び左右方向に自在な位置に取付けることができる。
【００１０】
上記のように、商品保持部材４、５を上下及び／又は左右に自在に取付けることができるようにすることにより、様々な丈や形状を持つ商品の懸架・設置による陳列に対応することができる。また、側壁部３に網目状の部材を用いることにより、側壁部３にもフック等によって、商品を懸架して陳列することができる。また、側壁部３は、ポスター等の貼付にも用いられる。
【００１１】
本発明の商品陳列什器Ｗは、さらにセンター枠２及び側壁部３の上端から箱体１の底部まで、側壁部３の外周を覆うように取付けられるサイド枠６を設けることが好ましく、これにより、意匠性が増すと共に、センター枠２及び側壁部３を支持する役割も果たす。サイド枠６は、箱体１への収納性を考慮して、図６に示すように、中心部で複数に分割される構造であるとともに、下部の折畳みが可能な構造としてもよい。
【００１２】
また、本発明における商品陳列什器Ｗは、センター枠２の上部に天蓋部７を設けることにより、さらに意匠性が高まる。天蓋部７の構造・形状は、特に限定されず、意匠性を考慮して任意に設計することができ、例えば天蓋布７ｃと天蓋支持フレーム７ｓ等から構成される。天蓋支持フレーム７ｓは、箱体１に収納できるよう複数に分割できる構造としてもよい。天蓋布７ｃは、マジックテープ（登録商標）やリボン等を用いて、天蓋支持フレーム７ｓに取付けられる。天蓋支持フレーム７ｓの一部分に配線ダクトｄを設けて、スポットライト等の照明装置８を取付ければ、陳列商品に効果的な照明を行うことも可能となる。照明装置８の配線コードは、例えば図２に示すように、センター枠２の上隅部にコンセントを設け、プラグをセンター枠内及び箱体１の天板及び底板に設けられた配線コード通し孔ｃを通して、外部コンセントに接続する。また、天蓋部７の正面部ｆを、透明な樹脂シートで被覆し、隙間にＰＯＰ等を差込んで、広告や装飾を施すこともできる。天蓋部７のセンター枠２への取付方法は、特に限定されず、センター枠２の上端部に差込口Ｉを設けて固定するなどの方法が用いられる。
【００１３】
本発明の商品陳列什器Ｗの箱体１は、移動の簡便性の点から、底面部にキャスター９を設けることが好ましい。また、箱体１の外側面部に箱体外面方向に折畳み可能な陳列用棚板１０を設けることにより、什器設置場所に応じて、さらに陳列スペースを確保することができる。陳列用棚板１０の設置方法は特に限定されず、例えば、図１に示されるように、箱体１の側面の上部に、天板Ｔと水平方向に並列に展開可能となるよう設置してもよい。折畳み可能な陳列用棚板１０の展開時の支持手段は特に限定されず、例えば箱体１やサイド枠６に棚留めバーＢを設けて、フックやビス等によって陳列用棚板１０を固定し支持する。また、箱体１は、中空であるため、陳列しないストック商品の収納に便利なように、箱体１の少なくとも一面に扉Ｄを設け、箱体１の側面を開閉して、商品の補充等ができるようにすることが好ましい。
【００１４】
次に、本発明の商品陳列什器Ｗの収納方法について説明する。
図８は、本発明の商品陳列什器の各部材の収納を概略的に示す図であり、図９は、本発明の商品陳列什器の各部材が収納された状態を示す図である。
【００１５】
本発明の商品陳列什器Ｗは、各部材が箱体１から取外し可能であり、箱体１から取外されたセンター枠２、側壁部３、サイド枠６、天蓋部７は、それぞれ図２、図３、図６、図７に示すように、箱体１に収納できるよう、さらに分解して小型化される。尚、各部材の組立や取付は、工具を用いずに締緩できる蝶ネジｓ１及びビスｓ２によって行われているため、取外しや分解作業も工具等を用いることなく容易に行うことができる。
【００１６】
取外し分解された各部材は、図８及び図９に示すように、すべて箱体１に収納可能である。箱体１の天板Ｔには、天板Ｔの開閉を容易に行えるよう、天板Ｔの４角に回転取手Ｈを設けることができる。取付部材４ａ、５ａ、５ｂ、５ｃや蝶ネジｓ１やビスｓ２等の小さな部品はそれぞれ、収納箱ｂ１や袋ｂ２などに入れて収納することが好ましい。上記のように、本発明の商品陳列什器Ｗは、容易に収納可能な全ての部材を箱体１に収納して小型化することができ、輸送・移動の際の取扱いが簡便である。
【００１７】
尚、本発明の商品陳列什器Ｗは、解体・組立を繰り返し行うため、取外して箱体に収納可能な各部材の紛失等を防ぐため、箱体１に収納可能部材の一覧表を入れておくことが好ましい。また、収納可能な部材の中には、例えば天蓋支持フレーム７ｓのように、立体構造を持つものも含まれる。このような部材が、収納時や輸送・移動時に破損しないよう、各収納可能部材を箱体１に所望の順序で収納することが望ましく、そのために、箱体１に収納可能部材の収納方法や収納順の記載物を入れておくことが好ましい。収納方法の記載内容としては、例えば図８に示されるような図を用いることができる。上記の一覧表及び記載物の素材としては、紙類、ラミネート加工された紙類、プラスチックボード等が挙げられ、例えば、天板Ｔの裏面に貼付されたり、箱体１の内壁に差込部を設けて備え付けることができる。
【００１８】
【発明の効果】
上記したように、本発明では、什器本体を基台となる箱体に収納することによって、容易に小型化でき、輸送や移動の際の什器本体の損傷を防止できるとともに、什器の輸送費用の削減ができ、かつ、変化に富んだ商品の陳列が可能な什器を提供することができた。
【図面の簡単な説明】
【図１】図１は、本発明の商品陳列什器の斜視図である。
【図２】図２は、本発明の商品陳列什器に用いられるセンター枠の構造を示す図である。
【図３】図３は、本発明の商品陳列什器に用いられる側壁部の構造を示す図である。
【図４】図４は、本発明の商品陳列什器に用いられる棚板の取付構造を示す図である。
【図５】図５（ａ）及び図５（ｂ）は、本発明の商品陳列什器に用いられるハンガーフックの取付構造を示す図である。
【図６】図６は、本発明の商品陳列什器に用いられるセンター枠の構造を示す図である。
【図７】図７は、本発明の商品陳列什器の用いられる天蓋部の構造を示す図である。
【図８】図８は、本発明の商品陳列什器の各部材の収納を概略的に示す図である。
【図９】図９は、本発明の商品陳列什器の各部材が収納された状態を示す図である。
【符号の説明】
Ｗ　商品陳列什器
１　箱体
２　センター枠
３　側壁部
４　棚板
４ａ　取付部材
５　ハンガーフック
５ａ，５ｂ，５ｃ　取付部材
６　サイド枠
７　天蓋部
８　照明装置
９　キャスター
１０　陳列用棚板
Ｔ　天板
【図１】
2004089405.tif 000003
【図２】
2004089405.tif 000004
【図３】
2004089405.tif 000005
【図４】
2004089405.tif 000006
【図５】
2004089405.tif 000007
【図６】
2004089405.tif 000008
【図７】
2004089405.tif 000009
【図８】
2004089405.tif 000010
【図９】
2004089405.tif 000011